(57)【要約】【課題】臭気発生が少なく、使い勝手の良い生ごみ処理機を実現すること。【解決手段】吸気通路７中に内装され、吸気される空気を必要に応じて加熱する温風ヒータ１３を備え、温風ヒータ１３として正方向サーミスタ素子によるヒータを搭載する構成とした。これにより、吸気される空気を所定の温度の温風とすることができ、投入された水分の多い生ごみを最適に乾燥することが可能で、使い勝手の良い生ごみ処理機を実現できる。【選択図】図１
2005131447.tif 000002
【特許請求の範囲】
【請求項１】
生ごみを分解処理する処理槽と、原動機によって駆動され処理槽内の処理物を攪拌する攪拌手段と、処理槽を必要に応じて加熱する加熱手段と、外気と連通した吸気通路を備えた生ごみ処理機で、吸気通路中に内装され、吸気される空気を必要に応じて加熱する温風ヒータを備え、温風ヒータとして正方向サーミスタ素子によるヒータを搭載した生ごみ処理機。
【請求項２】
生ごみを分解処理する処理槽と、原動機によって駆動され処理槽内の処理物を攪拌する攪拌手段と、処理槽を必要に応じて加熱する加熱手段と、外気と連通した吸気通路を備えた生ごみ処理機で、吸気通路中に内装され、吸気される空気を必要に応じて加熱する温風ヒータを備え、温風ヒータとして正方向サーミスタ素子によるヒータを一方が傾斜もしくは垂直に配置した生ごみ処理機。
【請求項３】
温風ヒータとして正方向サーミスタ素子によるヒータの表面に撥水性塗装などの撥水性表面加工をした請求項２記載の生ごみ処理機。
【請求項４】
生ごみを分解処理する処理槽と、原動機によって駆動され処理槽内の処理物を攪拌する攪拌手段と、処理槽を必要に応じて加熱する加熱手段と、外気と連通した吸気通路を備えた生ごみ処理機で、吸気通路中に内装され、吸気される空気を必要に応じて加熱する電気を熱源とする温風ヒータを備え、温風ヒータへの電源の接合部を温風ヒータよりも上に設けた生ごみ処理機。
【請求項５】
生ごみを分解処理する処理槽と、原動機によって駆動され処理槽内の処理物を攪拌する攪拌手段と、処理槽を必要に応じて加熱する加熱手段と、外気と連通した吸気通路を備えた生ごみ処理機で、吸気通路中に内装され、吸気される空気を必要に応じて加熱する温風ヒータを備え、温風ヒータを正方向サーミスタ素子および非発熱素子を放熱フィンで挟持して成し、温風ヒータに電源を接続する端子部より正方向サーミスタ素子を非発熱素子と比べて遠くに配置した生ごみ処理機。
【請求項６】
生ごみを分解処理する処理槽と、原動機によって駆動され処理槽内の処理物を攪拌する攪拌手段と、処理槽を必要に応じて加熱する加熱手段と、外気と連通した吸気通路を備えた生ごみ処理機で、吸気通路中に内装され、吸気される空気を必要に応じて加熱する温風ヒータを備え、温風ヒータを正方向サーミスタ素子および非発熱素子を放熱フィンで挟持して成し、正方向サーミスタ素子を非発熱素子と比べて下に配置した生ごみ処理機。
【請求項７】
生ごみを分解処理する処理槽と、原動機によって駆動され処理槽内の処理物を攪拌する攪拌手段と、処理槽を必要に応じて加熱する加熱手段と、外気と連通した吸気通路と、同じく外気と連通した排気通路を備えた生ごみ処理機で、吸気通路中に内装され、吸気される空気を必要に応じて加熱する温風ヒータを備え、温風ヒータを正方向サーミスタ素子および非発熱素子をフィンで挟持して成し、放熱フィンを下方に傾斜して配置した生ごみ処理機。
【発明の詳細な説明】
【技術分野】
【０００１】
本発明は主として家庭用又は業務用の廃棄物を減容、減量処理する生ゴミ処理機に関するものである。
【背景技術】
【０００２】
従来の生ごみ処理機を、図４を用いて説明する。
【０００３】
生ゴミ処理機本体４０内に微生物の生息場所となるおがくず等の微生物担体４１を入れた微生物処理槽４２と、投入された生ゴミ４３と微生物担体４１とを混合、撹拌するための回転撹拌棒４４及びその駆動装置４５を有し、投入された生ゴミ４３を微生物により最終的には二酸化炭素と水、その他に分解し、生ごみ４３を減量、減容するもので、微生物処理槽４２内の温度を適正に保つための加熱手段４６、酸素（空気）を供給するための送風装置４７、排気口４８には加熱手段４９による熱と白金等の触媒作用で臭気物質を酸化する触媒脱臭装置５０とそれらの制御を行う制御手段（図示せず）を備え、微生物の働きにより生ごみ等の廃棄物を分解し減量、減容するいわゆるバイオ式生ごみ処理機といわれる装置が一般的に知られている（例えば、特許文献１参照）。
【特許文献１】特開平５−３１９９４０号公報
【発明の開示】
【発明が解決しようとする課題】
【０００４】
しかしながら、上記構成では、投入される生ごみが多量の水分を含む場合には微生物処理槽の中は水分過多の状態となり、容易に嫌気性菌が優位となり、嫌気性醗酵の状態となりやすかった。嫌気性醗酵は一般に分解生成物が非常に臭気の高いものが多く、結果として、発生した臭気物質は触媒などを用いて分解せざるを得ないため、多くの電力を必要とし、効率の非常に悪いものとなっていた。
【０００５】
本発明は上記課題を解決するもので、投入された生ごみの水分を投入直後に乾燥調整するための乾燥効率を向上するもので、多量の水分を含む生ごみの水分を減らすことにより、微生物処理槽の水分過多を事前に防止し、好気性菌の優位な状態を保つことにより、より安価に臭気発生の少ない、使い勝手の良い生ごみ処理機を実現するものである。
【課題を解決するための手段】
【０００６】
上記従来の課題を解決するために本発明は、生ごみを分解処理する処理槽が外気と連通した排気通路の、外気に望む排気口の近傍に、少なくとも一つの開口が排気口を臨むべく配置され、臭気物質等を吸着する吸着材と送風機を内装した脱臭筒を備えることにより、処理槽よりの臭気を含んだ排気を吸気し、臭気成分を吸着脱臭することで、より安価に臭気発生の少ない、使い勝手の良い生ごみ処理機を実現するものである。
【発明の効果】
【０００７】
本発明は、より安価に臭気発生の少ない、使い勝手の良い生ごみ処理機を提供することができる。
【発明を実施するための最良の形態】
【０００８】
第１の発明は、吸気通路中に内装され、吸気される空気を必要に応じて加熱する温風ヒータを備え、温風ヒータとして正方向サーミスタ素子によるヒータを搭載することにより、吸気される空気を所定の温度の温風とすることができ、投入された水分の多い生ごみを最適に乾燥することが可能で、使い勝手の良い生ごみ処理機を実現することができる。
【０００９】
第２の発明は、温風ヒータとして正方向サーミスタ素子によるヒータを一方が傾斜もしくは略鉛直に配置ことにより、温風ヒータへの水等の付着時にも水が溜まらず、生ごみ処理機を実現することができる。
【００１０】
第３の発明は、温風ヒータに撥水性塗装などを施すことにより、さらに水が溜まらなくなり、より安全に臭気発生の少ない生ごみ処理機を実現することができる。
【００１１】
第４の発明は、温風ヒータへの電源の接合部を温風ヒータ全体のより上方に設けることにより、接合部への水の付着を防止できるため、電食等の異常を防止できるもので、より長期に安定した温風性能を維持できるもので、安定した分解性能を維持できる生ごみ処理機が実現できる。
【００１２】
第５の発明は、温風ヒータに電源を接続する端子部より正方向サーミスタ素子を非発熱素子と比べて遠くに配置することによって接続されるリード線や端子の温度上昇を防止できる。
【００１３】
第６の発明は、正方向サーミスタ素子を非発熱素子と比べて下に配置することによって、放熱フィン全体をより均一な温度で、しかもより低い温度に維持することが可能で、温風ヒータもしくはその支持部材の長期にわたる耐久性を向上するもので、より長期に安定した温風性能を維持でき、安定した分解性能を維持できる生ごみ処理機が実現できる。
【００１４】
第７の発明は、温風ヒータを正方向サーミスタ素子および非発熱素子を放熱フィンで挟持して成し、放熱フィンを下方に傾斜して配置することにより、加熱された温風を風路全体により均一に分布させることが可能で、温風の高温部を作らず、処理槽内の局部的な高温を防止し、より安定した分解性能を実現できる。
【００１５】
以下、本発明の実施の形態について、図面を参照しながら説明する。なお、この実施の形態により本発明が限定されるものではない。
【００１６】
（実施の形態１）
本発明の第１の実施の形態について、図１〜図３を用いて説明する。
【００１７】
図１は、本発明の第１の実施の形態である生ごみ処理機本体１の断面図である。２は生ごみおよびオガクズなどの担体を内装する処理槽にして、上方に蓋３を備え、開放して生ごみの投入ができるようになっている。４は攪拌手段にして、モータ等の原動機による駆動装置５で回転駆動され、前記処理槽２内の生ごみおよびオガクズなどの担体を攪拌する。６は処理槽２の外壁に貼り付けられた加熱手段にして、必要に応じて加熱し、処理槽２を所定の温度に保持する。７は処理槽２と外気と連通した吸気通路で、８は同じく処理槽２と外気と連通した排気通路にして、排気通路８には処理槽２より外気に向かって送風する排気送風装置９が設けられている。１０は排気通路８の外気に向かう開口である排気口にして、前記排気送風装置９の動作により外気に向かって排気する。
【００１８】
１１は吸気通路７の途中に設けられた温風装置にして、内部に正方向サーミスタ素子１２を熱源とする温風ヒータ１３を内蔵している。温風ヒータ１３は平板状の前記正方向サーミスタ素子１２および略同形状の非発熱素子１４を、電極を兼ねる二つの放熱フィン１５で挟持して成し、前記正方向サーミスタ素子１２に電力を供給するとともに発熱を空気中に発散する。
【００１９】
１６は温風装置１１に内装され、前記温風ヒータ１３の上流に配置され、外気と連通する吸気送風装置にして、外気を吸入して前記温風ヒータ１３に供給する。さて、ここで、温風ヒータ１３は風路に対して放熱フィン１５に通気できる方向、すなわち前記正方向サーミスタ素子１２、非発熱素子１４を風路に対して垂直に配置する形で配置される。その際、正方向サーミスタ素子１２を非発熱素子１４の下方に配置するとともに温風ヒータ１３自体を略鉛直に配置している。加えて、前記放熱フィン１４に制御装置１７等より供給される電源が接続される接合部１８は温風ヒータ１３の上部に配置されている。なお、温風ヒータ１３はシリコン等による撥水性のコーティングを施されている。
【００２０】
以上のように構成された生ごみ処理機において図１と図２を用いて、その動作を説明する。
【００２１】
処理される生ごみは蓋３をあけ、処理槽２に投入される。処理槽２では加熱手段６により常に微生物にとって最適な温度に保持され、攪拌手段４によって攪拌される。微生物が必要とする空気が攪拌供給される。処理槽２は吸気通路７と排気通路８で外気と連通しており、排気通路８の送風装置９が運転することで、吸気通路７からは処理槽２へ外気が供給される。
【００２２】
また、排気通路８からは処理槽２内からの水分や生ごみの分解による臭気成分などが排気される。このような生ごみの微生物による分解には、微生物の環境が安定することが必要であり、処理槽２内の水分や空気の供給などの環境維持ができないと例えば、嫌気性微生物が優位となり、非常に多くの臭気成分が発生して使用上困難な状態に陥ることが起こる。本発明では投入された生ごみの水分をあらかじめ吸気送風装置１６による送風で乾燥することによって処理槽２内に多量の水分が入ることを防止するものである。その際、例えば、外気が零下のような環境では外気を吸気送風装置１６によって導入しても生ごみは乾燥しにくい。そこで、吸気送風装置１６からの吸気を正方向サーミスタ素子１２による温風ヒータ１３で加熱するものである。ここで用いた正方向サーミスタ素子１２は所定の温度になると抵抗が急激に増大する特性を持ち、温度が過昇しない特性を有するもので、したがって、風量によらず、また、制御による遅れや温度検出手段の故障などの影響も受けず、常に一定以下の温度の温風を発生できるため、処理槽２内に高温の空気を供給することなく、適当な温風を供給することが可能で、生ごみを分解する微生物に高温でダメージを与えることなく、乾燥ができるもので、いつまでも安定した分解性能と臭気発生の少ない、したがって使い勝手の良い生ごみ処理機を実現することができるものである。
【００２３】
また、前記したように温風ヒータ１３を略鉛直に配置することによって、外気からの結露等が仮に付着しても温風ヒータ１３の各部溜まらず、落ちるもので、ショートやフィンの腐食を防止し、耐久性を備えた温風ヒータ１３を実現し、いつまでも安定した分解性能と臭気発生の少ない、したがって使い勝手の良い生ごみ処理機を実現することができるものである。なお、本実施例では温風ヒータ１３を略鉛直に配置したが、略鉛直でなくても単に傾斜するだけでも本発明の効果を実現できるものである。
【００２４】
さらに本実施例で述べた温風ヒータ１３の表面には撥水性のコーティングが成されており、上記の略鉛直もしくは傾斜の配置について、水滴等の落下効果を促進するもので、いつまでも安定した分解性能と臭気発生の少ない、したがって使い勝手の良い生ごみ処理機を実現することができるものである。
【００２５】
また、前述したように電極である放熱フィン１５の電源が接続される接合部１８を温風ヒータ１３の上部に配置することにより、同様に外気からの結露等が流れても接合部１８に至ることはなく、接合部１８の腐食や電食といった異常の発生がなく、いつまでも安定した分解性能と臭気発生の少ない、したがって使い勝手の良い生ごみ処理機を実現することができるものである。
【００２６】
また、正方向サーミスタ素子１２は非発熱素子１４と比べて下に配置されている。すなわち、電源が接続される接合部１８は温風ヒータ１３内で遠く配置されているため、正方向サーミスタ素子１２の発熱の影響を受けにくく、熱劣化等の異常も生じにくく、いつまでも安定した分解性能と臭気発生の少ない、したがって使い勝手の良い生ごみ処理機を実現することができるものである。
【００２７】
同様に、正方向サーミスタ素子１２は非発熱素子１４と比べて下に配置されているため、正方向サーミスタ素子１２の発熱は上方に向かい、放熱フィン１４全体がより均一な温度で、しかもより低い温度に維持することが可能で、温風ヒータもしくはその支持部材の長期にわたる耐久性を向上するもので、より長期に安定した温風性能を維持でき、安定した分解性能を維持できる生ごみ処理機が実現できるものである。
【００２８】
なお、本発明の実施例は実施の一つの形態であり、本実施例が、本発明の請求の範囲を制限するものではない。
【００２９】
（実施の形態２）
本発明の第２の実施の形態について図３をもとに説明する。なお、前記実施の形態１と同一部分については同一符号を付してその説明を省略する。
【００３０】
図３は本実施の形態の温風ヒータ１９の断面を示したもので、正方向サーミスタ素子１２は非発熱素子１４を放熱フィン２０で挟持してなるものである。放熱フィン２０は風路方向に対して、下流側が下方へ傾斜している。
【００３１】
これによって、温風ヒータ１９で暖められた温風は吹き出し時に下方へ向かって送風される。その為、風路に対してより均質な温度分布が得られ、局部的な高温を取りにくいもので、均質な温風を処理槽２に供給できるため、に送風されるため、高温の空気を供給することなく、適当な温風を供給することが可能で、生ごみを分解する微生物に高温でダメージを与えることなく、乾燥ができるもので、いつまでも安定した分解性能と臭気発生の少ない、したがって使い勝手の良い生ごみ処理機を実現することができるものである。なお、本実施の形態では温風ヒータ１９の放熱フィン２０が傾斜した例を説明したが、放熱フィンの一部を下方へ傾斜させても、また放熱フィン２０内の風路を下方へ導入したとしてもまた、温風ヒータ１９そのものを傾斜して配置したとしても本発明の範囲を逸脱するものではない。
【産業上の利用可能性】
【００３２】
以上のように、本発明にかかる生ごみ処理機は、例えば水分多い生ごみが投入されたとしてもいつまでも安定した分解性能と臭気発生の少ない、したがって使い勝手の良い生ごみ処理機を提供できるもので、家庭、レストラン、各種施設の食堂から排出される生ごみを処理する生ごみ処理機の脱臭性能の向上、低ランニングコストなどに極めて有用なものである。
【図面の簡単な説明】
【００３３】
【図１】本発明の実施の形態１を示す生ごみ処理機の断面図
【図２】本発明の実施の形態１を示す温風ヒータの断面図
【図３】本発明の実施の形態２を示す温風ヒータの断面図
【図４】従来の脱臭装置の断面図
【符号の説明】
【００３４】
１  生ごみ処理機本体
２  処理槽
３  蓋
４  攪拌手段
５  駆動装置
６  加熱手段
７  吸気通路
８  排気通路
９  排気送風装置
１０  排気口
１１  温風装置
１２  正方向サーミスタ素子
１３  温風ヒータ
１４  非発熱素子
１５  放熱フィン
１６  吸気送風装置
１７  制御装置
１８  接合部
１９  温風ヒータ
２０  放熱フィン
【図１】
2005131447.tif 000003
【図２】
2005131447.tif 000004
【図３】
2005131447.tif 000005
【図４】
2005131447.tif 000006